(57)【要約】  本発明は、パケット交換通信に関するアップリンクの伝送およびアップリンクの伝送用の資源のスケジューリングに関する。無線通信ネットワークは、第１の無線ブロックのバーストを少なくとも２つの異なるアップリンクのパケット・データ・チャンネルで伝送するためにタイムスロットをスケジュールし（３１０）、第１の無線ブロックがスケジュールされた移動局に関連付けられたアップリンク状態フラグを、基本アップリンク期間中の第１のサブ期間を示す第１のダウンリンクのパケット・データ・チャンネルで伝送する（３０２）。移動局は、アップリンク状態フラグを受信し（３０３）、第１の無線ブロックの伝送用にスケジュールされた資源を識別し（３０４）、識別された資源を利用して第１の無線ブロックを伝送する（３０５）。ここで、第１のサブ期間のタイミングは、アップリンク状態フラグが第１のダウンリンクのパケット・データ・チャンネルで受信されたという事実を利用して、導出される。
2009514330.tif 000002
【特許請求の範囲】
【請求項１】
アップリンクおよびダウンリンクの伝送が無線ブロック（Ａ〜Ｄ）にセグメント化され、各無線ブロックが複数のバーストで伝送されるパケット交換通信に関し、アップリンクの伝送資源をスケジュールするための無線通信ネットワーク（ＮＥＴ１）における方法であって、
基本アップリンク期間中の第１のサブ期間において、少なくとも２つの異なるアップリンクのパケット・データ・チャンネル（ＣＨ１Ｕ〜ＣＨ２Ｕ）で、第１の無線ブロック（Ａ）のバーストを伝送するタイムスロットをスケジュールするステップ（３０１）と、
前記少なくとも２つの異なるアップリンクのパケット・データ・チャンネル（ＣＨ１Ｕ〜ＣＨ２Ｕ）に対応するダウンリンクのパケット・データ・チャンネル（ＣＨ１Ｄ〜ＣＨ２Ｄ）のグループから選択された第１のダウンリンクのパケット・データ・チャンネル（ＣＨ１Ｄ）で、前記第１の無線ブロックがスケジュールされた移動局（ＭＳ１）に関連付けられたアップリンク状態フラグ（ａ）を伝送するステップであって、前記グループ中の異なるダウンリンクのパケット・データ・チャンネル（ＣＨ１Ｄ〜ＣＨ２Ｄ）の各々が前記基本アップリンク期間中の異なるサブ期間を表し、前記第１のダウンリンクのパケット・データ・チャンネル（ＣＨ１Ｄ）が前記基本アップリンク期間中の前記第１のサブ期間を表す、前記アップリンク状態フラグ（ａ）を伝送するステップ（３０２）と、を有することを特徴とする方法。
【請求項２】
前記基本アップリンク期間中の第２のサブ期間において、前記少なくとも２つの異なるアップリンクのパケット・データ・チャンネル（ＣＨ１Ｕ〜ＣＨ２Ｕ）で、第２の無線ブロック（Ｂ）のバーストを伝送するタイムスロットをスケジュールするステップ（４０３）と、
前記少なくとも２つの異なるアップリンクのパケット・データ・チャンネル（ＣＨ１Ｕ〜ＣＨ２Ｕ）に対応するダウンリンクのパケット・データ・チャンネル（ＣＨ１Ｄ〜ＣＨ２Ｄ）の前記グループから選択された第２のダウンリンクのパケット・データ・チャンネル（ＣＨ２Ｄ）で、前記第２の無線ブロックがそれ用にスケジュールされた移動局（ＭＳ２）に関連付けられたアップリンク状態フラグ（ｂ）を伝送するステップであって、前記第２のダウンリンクのパケット・データ・チャンネル（ＣＨ２Ｄ）が前記基本アップリンク期間中の前記第２のサブ期間を表す、前記アップリンク状態フラグ（ｂ）を伝送するステップ（４０４）と、をさらに有することを特徴とする請求項１に記載の方法。
【請求項３】
前記基本アップリンク期間において、前記第１のサブ期間が前記第２のサブ期間に先行することを特徴とする請求項２に記載の方法。
【請求項４】
前記基本アップリンク期間において、前記第２のサブ期間が前記第１のサブ期間に先行することを特徴とする請求項２に記載の方法。
【請求項５】
前記基本アップリンク期間の長さが、１つのアップリンクのパケット・データ・チャンネルで無線ブロックの全てのバーストを伝送するのに必要な時間に対応することを特徴とする請求項１乃至４のいずれか１項に記載の方法。
【請求項６】
前記少なくとも２つの異なるアップリンクのパケット・データ・チャンネル（ＣＨ１Ｕ〜ＣＨ２Ｕ）が２つのアップリンクのパケット・データ・チャンネルを含み、前記基本アップリンク期間が２つのサブ期間を有することを特徴とする請求項１乃至５のいずれか１項に記載の方法。
【請求項７】
前記少なくとも２つの異なるアップリンクのパケット・データ・チャンネルが４つのアップリンクのパケット・データ・チャンネルを含み、前記基本アップリンク期間が４つのサブ期間を有することを特徴とする請求項１乃至５のいずれか１項に記載の方法。
【請求項８】
別の基本アップリンク期間において、前記少なくとも２つの異なるアップリンクのパケット・データ・チャンネル（ＣＨ１Ｕ〜ＣＨ２Ｕ）の１つで、第３の無線ブロック（Ｃ）の全てのバーストを伝送するためのタイムスロットをスケジュールするステップ（４０６）と、
前記第３の無線ブロックのバーストを伝送する前記タイムスロットがスケジュールされた前記アップリンクのパケット・データ・チャンネル（ＣＨ１Ｕ）に対応するダウンリンクのパケット・データ・チャンネル（ＣＨ１Ｄ）で、前記第３の無線ブロック（Ｃ）がスケジュールされた移動局（ＭＳ３）に関連付けられたアップリンク状態フラグ（ｃ）を伝送するステップ（４０８）と、をさらに有することを特徴とする請求項１乃至７のいずれか１項に記載の方法。
【請求項９】
アップリンクおよびダウンリンクの伝送が無線ブロック（Ａ〜Ｄ）にセグメント化され、各無線ブロックが複数のバーストで伝送されるパケット交換通信に関し、アップリンクの伝送のための移動局（ＭＳ１）における方法であって、
第１のダウンリンクのパケット・データ・チャンネル（ＣＨ１Ｄ）で、前記移動局（ＭＳ１）に関連付けられたアップリンク状態フラグ（ａ）を受信するステップ（３０３）と、
第１の無線ブロック（Ａ）のバーストが、基本アップリンク期間中の第１のサブ期間において少なくとも２つの異なるアップリンクのパケット・データ・チャンネル（ＣＨ１Ｄ〜ＣＨ２Ｄ）のタイムスロットで伝送するためにスケジュールされる無線ブロック・マッピング・モードに従って、前記第１の無線ブロック（Ａ）の伝送のためにスケジュールされた資源を識別するステップであって、前記第１のダウンリンクのパケット・データ・チャンネル（ＣＨ１Ｄ）が、前記少なくとも２つの異なるアップリンクのパケット・データ・チャンネル（ＣＨ１Ｕ〜ＣＨ２Ｕ）の各々に対応するダウンリンクのパケット・データ・チャンネル（ＣＨ１Ｄ〜ＣＨ２Ｄ）のグループからの１つであり、前記グループの異なるダウンリンクのパケット・データ・チャンネル（ＣＨ１Ｄ〜ＣＨ２Ｄ）の各々が前記基本アップリンク期間中の異なるサブ期間を表し、前記基本アップリンク期間中の前記第１のサブ期間のタイミングが前記アップリンク状態フラグ（ａ）が前記第１のダウンリンクのパケット・データ・チャンネル（ＣＨ１Ｄ）で受信されたという事実を利用して導出される、前記資源を識別するステップ（３０４）と、
前記資源を識別するステップで識別された資源を利用して第１のアップリンクの無線ブロック（Ａ）を伝送するステップ（３０５）と、を有することを特徴とする方法。
【請求項１０】
前記基本アップリンク期間の長さが、１つのアップリンクのパケット・データ・チャンネルで無線ブロックの全てのバーストを伝送するのに必要な時間に対応することを特徴とする請求項９に記載の方法。
【請求項１１】
前記少なくとも２つの異なるアップリンクのパケット・データ・チャンネル（ＣＨ１Ｕ〜ＣＨ２Ｕ）が２つのアップリンクのパケット・データ・チャンネルを含み、前記基本アップリンク期間が２つのサブ期間を有することを特徴とする請求項９または１０に記載の方法。
【請求項１２】
前記少なくとも２つの異なるアップリンクのパケット・データ・チャンネル（ＣＨ１Ｕ〜ＣＨ２Ｕ）が４つのアップリンクのパケット・データ・チャンネルを含み、そして前記基本アップリンク期間が４つのサブ期間を有することを特徴とする請求項９または１０に記載の方法。
【請求項１３】
アップリンクおよびダウンリンクの伝送が無線ブロックにセグメント化され、各無線ブロックが複数のバーストで伝送されるパケット交換通信に関し、アップリンクの伝送資源をスケジュールするための無線通信ネットワーク（ＮＥＴ１）における制御装置（６００）であって
基本アップリンク期間中の第１のサブ期間において、少なくとも２つの異なるアップリンクのパケット・データ・チャンネル（ＣＨ１Ｕ〜ＣＨ２Ｕ）で第１の無線ブロック（Ａ）のバーストを伝送するタイムスロットをスケジュールするためのスケジュール手段（６０１）と、
前記少なくとも２つの異なるアップリンクのパケット・データ・チャンネル（ＣＨ１Ｕ〜ＣＨ２Ｕ）に対応するダウンリンクのパケット・データ・チャンネル（ＣＨ１Ｄ〜ＣＨ２Ｄ）のグループから選択されたダウンリンクのパケット・データ・チャンネル（ＣＨ１Ｄ）で、前記第１の無線ブロックがそれ用にスケジュールされた移動局（ＭＳ１）に関連付けられたアップリンク状態フラグ（ａ）の伝送を開始する開始手段であって、前記グループ中の異なるダウンリンクのパケット・データ・チャンネルの各々が前記基本アップリンク期間中の異なるサブ期間を表し、前記第１のダウンリンクのパケット・データ・チャンネル（ＣＨ１Ｄ）が前記基本アップリンク期間中の前記第１のサブ期間を表す、前記アップリンク状態フラグ（ａ）の伝送を開始する開始手段（６０２）と、を有することを特徴とする制御装置。
【請求項１４】
前記スケジュール手段は、前記基本アップリンク期間中の第２のサブ期間において、前記少なくとも２つの異なるアップリンクのパケット・データ・チャンネル（ＣＨ１Ｕ〜ＣＨ２Ｕ）で第２の無線ブロック（Ｂ）のバーストを伝送するタイムスロットをスケジュールするように構成され、
前記開始手段は、ダウンリンクのパケット・データ・チャンネル（ＣＨ１Ｄ〜ＣＨ２Ｄ）の前記グループから選択された第２のダウンリンクのパケット・データ・チャンネル（ＣＨ２Ｄ）で、前記第２の無線ブロックがそれ用にスケジュールされた移動局（ＭＳ２）に関連付けられたアップリンク状態フラグ（ｂ）の伝送を開始するように構成され、前記第２のダウンリンクのパケット・データ・チャンネル（ＣＨ２Ｄ）が前記基本アップリンク期間中の前記第２のサブ期間を表すことを特徴とする請求項１３に記載の制御装置。
【請求項１５】
前記基本アップリンク期間において、前記第１のサブ期間が前記第２のサブ期間に先行することを特徴とする請求項１４に記載の制御装置。
【請求項１６】
前記基本アップリンク期間において、前記第２のサブ期間が前記第１のサブ期間に先行することを特徴とする請求項１４に記載の制御装置。
【請求項１７】
前記基本アップリンク期間の長さが、１つのアップリンクのパケット・データ・チャンネルで、無線ブロックの全てのバーストを伝送するのに必要な時間に対応することを特徴とする請求項１３乃至１６のいずれか１項に記載の制御装置。
【請求項１８】
前記少なくとも２つの異なるアップリンクのパケット・データ・チャンネル（ＣＨ１Ｕ〜ＣＨ２Ｕ）が２つのアップリンクのパケット・データ・チャンネルを含み、前記基本アップリンク期間が２つのサブ期間を有することを特徴とする請求項１３乃至１７のいずれか１項に記載の制御装置。
【請求項１９】
前記少なくとも２つの異なるアップリンクのパケット・データ・チャンネルが４つのアップリンクのパケット・データ・チャンネルを含み、前記基本アップリンク期間が４つのサブ期間を有することを特徴とする請求項１３乃至１７のいずれか１項に記載の制御装置。
【請求項２０】
前記スケジュール手段は、別の基本アップリンク期間において、前記少なくとも２つの異なるアップリンクのパケット・データ・チャンネル（ＣＨ１Ｕ〜ＣＨ２Ｕ）の１つで、第３の無線ブロック（Ｃ）の全てのバーストを伝送するためのタイムスロットをスケジュールするように構成され、
前記開始手段は、前記第３の無線ブロックのバーストを伝送する前記タイムスロットがそこでスケジュールされた前記アップリンクのパケット・データ・チャンネル（ＣＨ１Ｕ）に対応するダウンリンクのパケット・データ・チャンネル（ＣＨ１Ｄ）で、前記第３の無線ブロック（Ｃ）がそれ用にスケジュールされた移動局（ＭＳ３）に関連付けられたアップリンク状態フラグ（ａ）の伝送を開始するように構成されることを特徴とする請求項１３乃至１９のいずれか１項に記載の制御装置。
【請求項２１】
アップリンクおよびダウンリンクの伝送が無線ブロックにセグメント化され、各無線ブロックが複数のバーストで伝送されるパケット交換通信に関し、アップリンクの伝送のためのスケジュールを実行可能な移動局（ＭＳ１）であって、
第１のダウンリンクのパケット・データ・チャンネル（ＣＨ１Ｄ）で、移動局（ＭＳ１）に関連付けられたアップリンク状態フラグ（ａ）を受信するための受信機（８０２）と、
第１の無線ブロック（Ａ）のバーストが、基本アップリンク期間中の第１のサブ期間において少なくとも２つの異なるアップリンクのパケット・データ・チャンネル（ＣＨ１Ｄ〜ＣＨ２Ｄ）でタイムスロットを伝送するためにスケジュールされる無線ブロック・マッピング・モードに従って、前記第１の無線ブロック（Ａ）の伝送のためにスケジュールされた資源を識別するためのデータ処理回路であって、前記第１のダウンリンクのパケット・データ・チャンネル（ＣＨ１Ｄ）が、前記少なくとも２つの異なるアップリンクのパケット・データ・チャンネル（ＣＨ１Ｕ〜ＣＨ２Ｕ）の各々に対応するダウンリンクのパケット・データ・チャンネル（ＣＨ１Ｄ〜ＣＨ２Ｄ）のグループからの１つであり、前記グループの異なるパケット・データ・チャンネルの各々が、前記基本アップリンク期間中の異なるサブ期間を表し、前記基本アップリンク期間中の前記第１のサブ期間のタイミングが、前記アップリンク状態フラグ（ａ）が前記第１のダウンリンクのパケット・データ・チャンネル（ＣＨ１Ｄ）で受信されたという事実を利用して導出される、前記データ処理回路（８０３）と、
前記第１の無線ブロック（Ａ）の伝送のためにスケジュールされたと識別された資源を利用して、第１の無線ブロック（Ａ）を伝送するための送信機（８０１）と、を有することを特徴とする移動局。
【請求項２２】
前記基本アップリンク期間の長さが、１つのアップリンクのパケット・データ・チャンネルで、無線ブロックの全てのバーストを伝送するのに必要な時間に対応することを特徴とする請求項２１に記載の移動局。
【請求項２３】
前記少なくとも２つの異なるアップリンクのパケット・データ・チャンネル（ＣＨ１Ｕ〜ＣＨ２Ｕ）が２つのアップリンクのパケット・データ・チャンネルを含み、前記基本アップリンク期間が２つのサブ期間を有することを特徴とする請求項２１または２２に記載の移動局。
【請求項２４】
前記少なくとも２つの異なるアップリンクのパケット・データ・チャンネルが４つのアップリンクのパケット・データ・チャンネルを含み、前記基本アップリンク期間が４つのサブ期間を有することを特徴とする請求項２１または２２に記載の移動局。
【発明の詳細な説明】
【技術分野】
【０００１】
本発明は無線通信システムにおける方法および装置に関する。より具体的には、本発明は、パケット交換通信に関するアップリンクの伝送およびアップリンクの伝送のための資源のスケジューリングに関する方法および（移動局および制御装置を含む）装置に関する。
【背景技術】
【０００２】
汎用パケット無線サービス（General Packet Radio Service：ＧＰＲＳ）および強化された汎用パケット無線サービス（Enhanced GPRS：ＥＧＰＲＳ）をカバーする第３世代パートナシッププロジェクト（３ＧＰＰ）の規格は、無線通信ネットワークおよび移動局を含む無線通信システムにおけるパケット交換通信を提供する。
【０００３】
パケット交換データは、パケット・データ・チャンネルで無線通信ネットワークと移動局との間で交換される。移動局から無線通信ネットワークへの伝送はアップリンクのパケット・データ・チャンネルで行われ、一方、無線通信ネットワークから移動局への伝送はダウンリンクのパケット・データ・チャンネルで行われる。
【０００４】
ＧＰＲＳ／ＥＧＰＲＳは、同じアップリンクのパケット・データ・チャンネルを幾つかの移動局が多重化して使用することを認めている。アップリンクのパケット・データ・チャンネルへの移動局の多重化は、対応するダウンリンクのパケット・データ・チャンネルで伝送されるアップリンク状態フラグ（Uplink State Flag：ＵＳＦ）によって制御される。特定の移動局がアップリンク状態フラグの１つをダウンリンクのパケット・データ・チャンネルで受信する時、その特定の移動局は、１つの無線ブロック（または一連の４つの無線ブロック）を伝送するための対応するアップリンクのパケット・データ・チャンネルの資源が、割り当てられたことを知る。
【０００５】
ＧＥＲＡＮリリース６についての３ＧＰＰ規格によれば、アップリンクの無線ブロックの各々は、常に、アップリンクのパケット・データ・チャンネル上に４つのバースト（burst）としてマップ（map）され、その結果、無線ブロック期間は２０msとなる。
【０００６】
待ち時間を低減できるようにするために、アップリンクの無線ブロックのバーストが少なくとも２つの異なるアップリンクのパケット・データ・チャンネルにマップされるような、別案の新しい無線ブロック・マッピング方式が提案されている。従って、アップリンクの無線ブロックの４つのバーストを２つの異なるアップリンクのパケット・データ・チャンネルの２つのバーストとしてマップすることは、結果として１０msの無線ブロック期間となり、一方、アップリンクの無線ブロックの４つのバーストを各々が４つの異なるアップリンクのパケット・データ・チャンネルの１つのバーストとしてマップすることは、結果として５msの無線ブロック期間となる。
【０００７】
ＷＯ９９／４１９８は、同じ物理チャンネルを使用する１人または複数の移動サービス・ユーザについてアップリンクのトラヒックをスケジュールするために、ダウンリンク方向に伝送されるアップリンク状態フラグを使用するパケットデータ通信システムを開示する。アップリンク状態フラグは、特定の移動局からアップリンクの伝送のために１つまたは幾つかの連続する無線ブロックが予約されていることを移動局に知らせて、その移動局が、スケジュールされた無線ブロック数で規定される残りの期間の間にＵＳＦを受信しなくてもよいようにする。
【発明の開示】
【０００８】
本発明が対象とする問題は、少なくとも２つの異なるアップリンクのパケット・データ・チャンネルに無線ブロックをマップする場合に、アップリンクの伝送資源をスケジュールしてアップリンクの伝送を実行する方法を提供することである。
【０００９】
この問題は、請求項１および９に記載の方法、請求項１３に記載の制御装置および請求項２１に記載の移動局によって解決される。
【００１０】
本発明の一般的な利点は、少なくとも２つの異なるアップリンクのパケット・データ・チャンネルに無線ブロックをマップする場合に、それが、アップリンクの伝送およびアップリンクの伝送資源のスケジュールをサポートすることである。
【００１１】
本発明の幾つかの実施形態のより具体的な利点は、旧来型の（legacy）移動局と少なくとも２つの異なるアップリンクのパケット・データ・チャンネルへの無線ブロックのマッピングをサポートする移動局とを、アップリンクのパケット・データ・チャンネルの共通集合に多重化できるようにすることである。
【００１２】
本発明の具体的な実施形態と添付の図面とを参照しながら、これから本発明をより詳しく説明しよう。
【発明を実施するための最良の形態】
【００１３】
図１は、本発明が使用できる無線通信システムＳＹＳ１の非限定的な例を示す図である。
【００１４】
無線通信システムＳＹＳ１は、移動体無線通信ネットワークＮＥＴ１、あるいは、公衆陸上移動通信ネットワーク（Public Land Mobile Network：ＰＬＭＮ）とも呼ばれる、および移動局ＭＳ１〜ＭＳ４を含む複数の移動局を含む。
【００１５】
典型的な移動体無線通信ネットワークＮＥＴ１は、コアネットワークＣＮ１およびＧＳＭ／ＥＤＧＥ無線アクセスネットワーク（ＧＥＲＡＮ）ＲＡＮ１、あるいは、基地局システム（Base Station System：ＢＳＳ）とも呼ばれる、を含む。
【００１６】
コアネットワークＣＮ１は、回線交換サービスを提供する移動通信交換局（Mobile Service Switching Center：ＭＳＣ）ノードＭＳＣ１およびパケット交換サービスを提供するように作られた汎用パケット無線サービス(ＧＰＲＳ)ノードＳＧＳＮ１、在圏（serving）ＧＰＲＳサポートノード（ＳＧＳＮ）と呼ばれることもある、を含む。
【００１７】
無線アクセスネットワークＲＡＮ１は、１つ以上の基地局コントローラ（Base Station Controller：ＢＳＣ）を含む。簡単化のため、図１の無線アクセスネットワークＲＡＮ１には１つの基地局コントローラＢＳＣ１のみを示す。各基地局コントローラは、図１に示す無線基地局ＢＴＳ１のような複数の無線基地局（Base Transceiver Station：ＢＴＳ）に接続され、それらを制御する。無線アクセスネットワークＲＡＮ１は、Ａインタフェースと呼ばれるインタフェースを介して移動通信交換局ＭＳＣ１に接続され、また、無線アクセスネットワークＲＡＮ１は、Ｇｂインタフェースと呼ばれるインタフェースを介して在圏ＧＰＲＳサポートノードＳＧＳＮ１に接続される。
【００１８】
無線アクセスネットワークＲＡＮ１は、Ｕｍインタフェースと呼ばれるインタフェースを介して、移動体無線通信ネットワークＮＥＴ１と移動局ＭＳ１〜ＭＳ４等の移動局との間の無線通信を提供する。Ｕｍインタフェースの詳細は、第３世代パートナシッププロジェクト（３ＧＰＰ）技術規格の４４および４５シリーズに規定されている。
【００１９】
図１の無線通信システムＳＹＳ１は、３ＧＰＰ規格に従う汎用パケット無線サービス（ＧＰＲＳ）および高度汎用パケット無線サービス（ＥＧＰＲＳ）を使用するパケット交換通信をサポートする。
【００２０】
無線通信ネットワークＮＥＴ１と移動局ＭＳ１〜ＭＳ４との間のパケット交換データの通信は、いわゆる一時ブロックフロー（Temporary Block Flow：ＴＢＦ）を使用して行われる。無線通信ネットワークＮＥＴ１は、任意の１つの移動局ＭＳ１〜ＭＳ４に対して、関連のある移動局ＭＳ１〜ＭＳ４と共に確立したダウンリンクの一時ブロックフローを使用して、パケット交換データを通信し、一方、それぞれの移動局ＭＳ１〜ＭＳ４は、無線通信ネットワークＮＥＴ１に対して、その移動局と無線通信ネットワークＮＥＴ１との間に確立されたアップリンクの一時ブロックフローを使用して、パケット交換データを通信する。
【００２１】
アップリンクの一時ブロックフローを構成する時、そのアップリンクの一時ブロックフローに関連付けられたアップリンクの資源の割り当てをサポートするために、対応するダウンリンクのパケット・データ・チャンネル毎に１つ以上のアップリンクのパケット・データ・チャンネル（ＰＤＣＨ）および対応するアップリンク状態フラグ(ＵＳＦ）の値のリストが、そのアップリンクの一時ブロックフローに関連付けられる。
【００２２】
パケット・データ・チャンネルは、ＧＰＲＳ／ＥＧＰＲＳシステムにおいてパケット交換データを伝えるために使用される物理的なチャンネルである。各パケット・データ・チャンネルは、一連の無線周波数チャンネル（周波数ホッピングおよび単一搬送波の両方の対案が可能）およびタイムスロット（パケット・データ・チャンネルがマップされる各ＴＤＭＡフレー中の同一タイムスロット）によって定義される。
【００２３】
図１は、無線通信ネットワークＮＥＴ１と移動局ＭＳ１〜ＭＳ４との間のパケット交換データを伝えるために使用される一群のパケット・データ・チャンネルが、第１のアップリンクのパケット・データ・チャンネルＣＨ１Ｕおよび対応する第１のダウンリンクのパケット・データ・チャンネルＣＨ１Ｄと同時に、第２のアップリンクのパケット・データ・チャンネルＣＨ２Ｕおよび対応する第２のダウンリンクのパケット・データ・チャンネルＣＨ２Ｄを含む様子を概略的に示している。
【００２４】
一時ブロックフローを使用して通信されるパケット交換データは、多数の無線リンク制御／メディアアクセス制御（ＲＬＣ／ＭＡＣ）ブロックに編成される。各ＲＬＣ／ＭＡＣブロックは、パケット・データ・チャンネルで連続的に伝送される一連の４つのバーストを含む無線ブロック中で、Ｕｍインタフェースを介して通信される。
【００２５】
アップリンク方向では、同一のアップリンクのパケット・データ・チャンネルに複数の移動局が多重化されてもよい。アップリンク状態フラグは、動的割り当てメディア・アクセス・モードに従って、この多重化を制御するために使用される。ダウンリンクのパケット・データ・チャンネルのアップリンク状態フラグに（確立されたアップリンクの一時ブロックフローを介して）関連付けられた移動局は、そのダウンリンクのパケット・データ・チャンネルで伝送されるアップリンク状態フラグを監視する。ダウンリンクのパケット・データ・チャンネルで、移動局がそれに関連付けられたアップリンク状態フラグを検出した時、それは、無線通信ネットワークが、１つの無線ブロック（または、割り当てられたＵＳＦ粒度によっては、一連の４つの無線ブロック）を伝送するために、対応するアップリンクのパケット・データ・チャンネルの資源をスケジュールしたことを意味する。
【００２６】
図２は、移動局、例えば、移動局ＭＳ３が、第１のダウンリンクのパケット・データ・チャンネルＣＨ１Ｄのアップリンク状態フラグ（図２の「ｃ」）に関連付けられた典型的なシナリオを概略的に示す。したがって、移動局ＭＳ３が、第１のダウンリンクのパケット・データ・チャンネルＣＨ１Ｄで、それが関連付けられたアップリンク状態フラグを検出した時、それは、対応するアップリンクのパケット・データ・チャンネルＣＨ１Ｕの４つのバーストで、無線ブロック（図２の「Ｃ」）を伝送する。
【００２７】
いわゆるマルチスロット能力を有する移動局は、ダウンリンクの複数のパケット・データ・チャンネルの伝送を並列に受信してもよく、そしてアップリンクの複数のパケット・データ・チャンネルで並列に伝送してもよい。その場合でも、無線ブロックは、なおも常に４つのバーストとして１つのパケット・データ・チャンネルにマップされ、したがって、例えば、２つのパケット・データ・チャンネルが並列に使用される場合、２つの異なる無線ブロックが、パケット・データ・チャンネル毎に１つ、並列に送信／受信される。
【００２８】
ＧＰＲＳ／ＥＤＧＥ無線通信システムの通信の往復時間を低減するために、無線ブロックをパケット・データ・チャンネルにマップする方法を、無線ブロックの期間（伝送時間間隔：ＴＴＩ（Transmission Time Interval）と呼ばれることもある）を低減するように変更することが提案されている。この場合、無線ブロックの４つのバーストを１つのパケット・データ・チャンネルにマップするのではなく、４つのバーストを２つの異なるパケット・データ・チャンネルに並列に（すなわち、各パケット・データ・チャンネルに２つのバーストを）マップすることにより、ブロック期間は現在の２０msという値から１０msに低減する。同様に、無線ブロックの４つのバーストを４つの異なるパケット・データ・チャンネルに（すなわち、各パケット・データ・チャンネルに１つのバーストを）マップすることにより、ブロック期間／ＴＴＩの値を僅かの５msに低減してもよい。
【００２９】
しかしながら、無線ブロックのマップを以上のように変更すると、新しい無線ブロック・マッピングをサポートする新しい移動局と旧来型の移動局の両方を同じグループのパケット・データ・チャンネルに多重化することが望ましかろうというシナリオに、問題が生じることになる。
【００３０】
本発明は、少なくとも２つの異なるパケット・データ・チャンネルに無線ブロックをマップする時に、アップリンクの伝送資源をスケジュールして、アップリンクの伝送を実行する方法を提供する。本発明の実施形態では、少なくとも２つの異なるアップリンクのパケット・データ・チャンネルへの無線ブロックのマッピングをサポートする移動局と旧来型の移動局を、アップリンクのパケット・データ・チャンネルの共通集合に多重化することをさらに可能にする。
【００３１】
図３Ａは、本発明による、無線通信ネットワークにおけるパケット交換通信に関する資源をスケジュールする基本的な方法を概略的に示す図である。ここで、アップリンクおよびダウンリンクの伝送は、無線ブロックにセグメント化され、各ブロックは複数のバーストで伝送される。
【００３２】
ステップ３０１で、基本アップリンク期間中の第１のサブ期間において、少なくとも２つの異なるアップリンクのパケット・データ・チャンネル（ＵＬ  ＰＤＣＨ）で、第１の無線ブロックのバーストの伝送のためにタイムスロットがスケジュールされる。
【００３３】
ステップ３０２で、第１の無線ブロックがスケジュールされた移動局に関連付けられたアップリンク状態フラグは、第１のダウンリンクのパケット・データ・チャンネル（ＤＬ  ＰＤＣＨ）で伝送される。ここで、第１のダウンリンクのパケット・データ・チャンネルは、少なくとも２つの異なるアップリンクのパケット・データ・チャンネルに対応するダウンリンクのパケット・データ・チャンネルのグループから選択され、そのグループの異なるダウンリンクのパケット・データ・チャンネルの各々は基本アップリンク期間中の異なるサブ期間を示し、第１のダウンリンクのパケット・データ・チャンネルは、その基本アップリンク期間中のその第１のサブ期間を示す。
【００３４】
図３Ｂは、本発明による、パケット交換通信に関する移動局によるアップリンクの伝送の基本的な方法を示す図である。ここで、アップリンクおよびダウンリンクの伝送は無線ブロックにセグメント化され、各無線ブロックは複数のバーストで伝送される。
【００３５】
ステップ３０３で、移動局に関連付けられたアップリンク状態フラグが、第１のダウンリンクのパケット・データ・チャンネル（ＤＬ  ＰＤＣＨ）で受信される。
【００３６】
ステップ３０４で、第１の無線ブロックの伝送のためにスケジュールされた資源が、基本アップリンク期間中の第１のサブ期間において、少なくとも２つの異なるアップリンクのパケット・データ・チャンネル（ＵＬ  ＰＤＣＨ）のタイムスロットで伝送するために第１の無線ブロックのバーストがスケジュールされる、無線ブロック・マッピング・モードに従って識別される。ここで、前記第１のダウンリンクのパケット・データ・チャンネルは、前記少なくとも２つの異なるアップリンクのパケット・データ・チャンネルの各々に対応するダウンリンクのパケット・データ・チャンネルのグループ中の１つであり、前記グループの各々の異なるダウンリンクのパケット・データ・チャンネルは、前記基本アップリンク期間中の異なるサブ期間を示し、前記基本アップリンク期間中の前記第１のサブ期間のタイミングは、前記アップリンク状態フラグが前記第１のダウンリンクのパケット・データ・チャンネルで受信されたという事実を利用して導出される。
【００３７】
ステップ３０５で、第１のアップリンクの無線ブロックは、識別ステップ３０４で識別された資源を利用して伝送される。
【００３８】
基本アップリンク期間は、１つのアップリンクのパケット・データ・チャンネルで無線ブロックを伝送するのに必要な時間に対応する。例として、無線ブロックが４つのバーストで伝送されるＧＰＲＳ／ＥＧＰＲＳ無線通信システムでは、基本アップリンク期間は、１つのアップリンクのパケット・データ・チャンネルで４つのバーストを伝送するのに必要な時間に対応する。
【００３９】
基本アップリンク期間中の異なるサブ期間の数は、第１の無線ブロックの伝送のためにタイムスロットがそこでスケジュールされるアップリンクのパケット・データ・チャンネル（および対応するダウンリンクのパケット・データ・チャンネル）の数に一致する。したがって、無線ブロックが２つのアップリンクのパケット・データ・チャンネルにマップされる場合、基本アップリンク期間は２つのサブ期間を有し、そして無線ブロックが４つのアップリンクのパケット・データ・チャンネルにマップされる場合、基本アップリンク期間は４つのサブ期間を有する。
【００４０】
異なるダウンリンクのパケット・データ・チャンネルが、基本アップリンク期間中の異なるサブ期間を示すことにより、この新しい無線ブロック・マッピング方式をサポートする移動局に対して、ダウンリンクのパケット・データ・チャンネル毎に伝送されるアップリンク状態フラグを、新しい無線ブロック・マッピング方式に従って資源割り当てを指示するために、さらに利用することが可能となる。ダウンリンクのパケット・データ・チャンネル毎に伝送されるアップリンク状態フラグの用法を整備することが、旧来型の移動局と新しい無線ブロック・マッピング方式をサポートする移動局とを、アップリンクのパケット・データ・チャンネルの共通集合上で多重化することを可能にする鍵である。
【００４１】
図４は、本発明の第１の典型的な実施形態による、アップリンクの伝送資源をスケジュールする無線通信ネットワークにおける方法を示す流れ図である。この典型的な方法は、例えば、図１の無線通信ネットワークＮＥＴ１において、第１のアップリンクのパケット・データ・チャンネルＣＨ１Ｕおよび第２のアップリンクのパケット・データ・チャンネルＣＨ２Ｕのアップリンク資源をスケジュールするために実行されてもよい。この典型的な実施形態では、無線通信ネットワークＮＥＴ１は、ＧＰＲＳ／ＥＧＰＲＳの旧来型の無線ブロック・マッピング（すなわち、基本アップリンク期間において、１つのアップリンクのパケット・データ・チャンネルで、アップリンクの無線ブロックを４つのバーストとしてマップする）と、本提案の新しい無線ブロック・マッピング、ここでは、基本期間中のサブ期間において、第１のアップリンクのパケット・データ・チャンネルＣＨ１Ｕおよび第２のアップリンクのパケット・データ・チャンネルＣＨ２Ｕなど、少なくとも２つの異なるアップリンクのパケット・データ・チャンネルで、アップリンクの無線ブロックのバーストがマップされる、との両方による無線ブロック・マッピングをサポートする。第１のアップリンクのパケット・データ・チャンネルＣＨ１Ｕおよび第２のアップリンクのパケット・データ・チャンネルＣＨ２Ｕのいずれかまたは両方を使用するように構成されたアップリンクの一時ブロックフロー（ＴＢＦ）の各々は、そのアップリンクの一時ブロックフローの無線ブロックが、全て単一のアップリンクのパケット・データ・チャンネルで４つのバーストとしてマップされるべきか、または２つの異なるアップリンクのパケット・データ・チャンネルで４つのバーストとしてマップされるべきかを指示する、無線ブロック・マッピング・モード属性に関連付けられる。
【００４２】
ステップ４０１で、次の基本アップリンク期間において、アップリンクのパケット・データ・チャンネルＣＨ１Ｕ／ＣＨ２Ｕのいずれか一方または両方でスケジュールされる資源を次に取得する順番にある、アップリンクの一時ブロックフロー（ＵＰＬＩＮＫ  ＴＢＦ）の無線ブロック・マッピング・モードが調べられる。
【００４３】
無線ブロック・マッピング・モードが、バーストが第１のアップリンクのパケット・データ・チャンネルＣＨ１Ｕおよび第２のアップリンクのパケット・データ・チャンネルＣＨ２Ｕの両方にマップされるべきことを指示する場合（ステップ４０１の「２チャンネル」側）、処理はステップ４０２に続き、そこで、無線通信ネットワークＮＥＴ１は、その一時ブロックフロー（ＴＢＦ）について第１の無線ブロックを伝送するために、第１のアップリンクのパケット・データ・チャンネルＣＨ１Ｕおよび第２のアップリンクのパケット・データ・チャンネルＣＨ２Ｕの両方でタイムスロットをスケジュールする。こうして、基本アップリンク期間中の第１のサブ期間において、２つのタイムスロットが、各々、第１のアップリンクのパケット・データ・チャンネルＣＨ１Ｕおよび第２のアップリンクのパケット・データ・チャンネルＣＨ２Ｕで、第１の無線ブロックのバーストの伝送のためにスケジュールされる。
【００４４】
ステップ４０３で、無線通信ネットワークＮＥＴ１は、アップリンクのパケット・データ・チャンネルＣＨ１ＵおよびＣＨ２Ｕの両方にマップされる無線ブロックを今や次に取得する順番にある一時ブロックフロー（ＮＥＸＴ  ＴＢＦ）について第２の無線ブロックを伝送するために、第１のアップリンクのパケット・データ・チャンネルＣＨ１Ｕおよび第２のアップリンクのパケット・データ・チャンネルＣＨ２Ｕの両方でタイムスロットをスケジュールする。こうして、基本アップリンク期間中の第２のサブ期間において第２の無線ブロックのバーストを伝送するために、２つのタイムスロットは、各々、第１のアップリンクのパケット・データ・チャンネルＣＨ１Ｕおよび第２のアップリンクのパケット・データ・チャンネルＣＨ２Ｕでスケジュールされる。
【００４５】
この典型的な実施形態では、第１および第２のアップリンクのパケット・データ・チャンネルＣＨ１ＵおよびＣＨ２Ｕの両方にある２つのタイムスロットに無線ブロックをマップする場合、２つの隣り合う無線ブロック（すなわち、上記ステップ４０２および４０３でスケジュールされた第１および第２の無線ブロック）は、基本アップリンク期間を、ＧＰＲＳ／ＥＧＰＲＳパケット・データ・チャンネルの４つのバーストの伝送に必要な時間、すなわち、２０msに対応して、各々長さ１０msの２つのサブ期間に分割する。さらに、この典型的な実施形態では、第１のアップリンクのパケット・データ・チャンネルＣＨ１Ｕに対応する第１のダウンリンクのパケット・データ・チャンネルＣＨ１Ｄ、および第２のアップリンクのパケット・データ・チャンネルＣＨ２Ｕに対応する第２のダウンリンクのパケット・データ・チャンネルＣＨ２Ｄは、基本アップリンク期間中の異なるサブ期間のタイミングを表現するように構成される。したがって、第１のダウンリンクのパケット・データ・チャンネルＣＨ１Ｄで伝送されるアップリンク状態フラグ（ＵＳＦ）は、第１のダウンリンクのパケット・データ・チャンネルＣＨ１Ｄの前記アップリンク状態フラグに関連付けられた一時ブロックフロー（ＴＢＦ）が、基本アップリンク期間の第１の半分において無線ブロックを伝送するためアップリンクのパケット・データ・チャンネルＣＨ１ＵおよびＣＨ２Ｕの両方のタイムスロットを割り当てられたことを示す。一方、第２のダウンリンクのパケット・データ・チャンネルＣＨ２Ｄで伝送されるアップリンク状態フラグ（ＵＳＦ）は、第２のダウンリンクのパケット・データ・チャンネルＣＨ２Ｄの前記アップリンク状態フラグに関連付けられた一時ブロックフロー（ＴＢＦ）が、基本アップリンク期間の第２の半分において無線ブロックを伝送するためアップリンクのパケット・データ・チャンネルＣＨ１ＵおよびＣＨ２Ｕの両方のタイムスロットを割り当てられたことを示す。（別案として、第１のダウンリンクのパケット・データ・チャンネルＣＨ１Ｄを基本アップリンク期間の第２の半分に、そして第２のダウンリンクのパケット・データ・チャンネルＣＨ２Ｄを基本アップリンク期間の先行する第１の半分に関連付けることも勿論可能であろう）。こうして、アップリンク・チャンネルＣＨ１ＵおよびＣＨ２Ｕの両方で無線ブロックを伝送するための資源を割り当てられた移動局は、その移動局に（アップリンクの一時ブロックフローを介して）関連付けられたアップリンク状態フラグがどのダウンリンクのパケット・データ・チャンネルで受信されたかの知識を利用して、スケジュールされた無線ブロックのタイミング（すなわち、基本アップリンク期間中のスケジュールされたサブ期間）を導出できる。
【００４６】
したがって、ステップ４０４において、無線通信ネットワークＮＥＴ１は、ステップ４０２で第１の無線ブロックがスケジュールされた一時ブロックフローに関連付けられたアップリンク状態フラグ（ＵＳＦ）を、第１のダウンリンクのパケット・データ・チャンネルで伝送し、そして、ステップ４０３で第２の無線ブロックがスケジュールされた一時ブロックフローに関連付けられたアップリンク状態フラグ（ＵＳＦ）を、第２のダウンリンクのパケット・データ・チャンネルで伝送する。
【００４７】
ステップ４０１で調べたアップリンクの一時ブロックフロー（ＴＢＦ）の無線ブロック・マッピング・モードが、全てのバーストが１つのチャンネルにマップされるべきことを示す場合（ステップ４０１の「１チャンネル」側）、ステップ４０５において、無線通信ネットワークＮＥＴ１は、その一時ブロックフロー（ＴＢＦ）をどのアップリンクのパケット・データ・チャンネルに関連付けるかを決定する。
【００４８】
その一時ブロックフロー（ＴＢＦ）が第１のアップリンクのパケット・データ・チャンネルＣＨ１Ｕに関連付けられている場合（ステップ４０５の「第１」側）、ステップ４０６において、無線通信ネットワークＮＥＴ１は、その一時ブロックフロー（ＴＢＦ）に対して、無線ブロックを伝送するため第１のアップリンクのパケット・データ・チャンネルＣＨ１Ｕのタイムスロットをスケジュールし、且つ、第２のアップリンクのパケット・データ・チャンネルＣＨ２Ｕの資源を次に取得する順番にある一時ブロックフロー（ＮＥＸＴ  ＴＢＦ）に対して、別の無線ブロックを伝送するため第２のアップリンクのパケット・データ・チャンネルＣＨ２Ｕのタイムスロットをスケジュールする。
【００４９】
その一時ブロックフロー（ＴＢＦ）が第２のアップリンクのパケット・データ・チャンネルＣＨ２Ｕに関連付けられている場合（ステップ４０２の「第２」側）、ステップ４０７において、無線通信ネットワークＮＥＴ１は、その一時ブロックフロー（ＴＢＦ）に対して、無線ブロックを伝送するため第２のアップリンクのパケット・データ・チャンネルＣＨ２Ｕのタイムスロットをスケジュールし、且つ、第１のアップリンクのパケット・データ・チャンネルＣＨ１Ｕの資源を次に取得する順番にある一時ブロックフロー（ＮＥＸＴ  ＴＢＦ）に対して、別の無線ブロックを伝送するため第１のアップリンクのパケット・データ・チャンネルＣＨ１Ｕのタイムスロットをスケジュールする。
【００５０】
その一時ブロックフロー（ＴＢＦ）が、第１および第２のアップリンクのパケット・データ・チャンネルＣＨ１ＵおよびＣＨ２Ｕの両方に関連付けられていることがわかった状況では、無線通信ネットワークＮＥＴ１は、ステップ４０６およびステップ４０７により交互にスケジュールする。
【００５１】
ステップ４０８で、無線通信ネットワークＮＥＴ１は、無線ブロックが第１のアップリンクのパケット・データ・チャンネルＣＨ１Ｕにスケジュールされた一時ブロックフロー（ＴＢＦ）に関連付けられたアップリンク状態フラグ（ＵＳＦ）を、第１のダウンリンクのパケット・データ・チャンネルＣＨ１Ｄで伝送し、且つ、無線ブロックが第２のアップリンクのパケット・データ・チャンネルＣＨ２Ｕにスケジュールされた一時ブロックフロー（ＴＢＦ）に関連付けられたアップリンク状態フラグ（ＵＳＦ）を、第２のダウンリンクのパケット・データ・チャンネルＣＨ２Ｄで伝送する。
【００５２】
図５は、図４に従ってスケジューリングが実行された典型的なシナリオを示す図である。この典型的なシナリオによれば、図１の第１の移動局ＭＳ１および第２の移動局ＭＳ２は、無線ブロックをマップする本提案の新しいやり方をサポートするＥＧＰＲＳ移動局であり、一方、図１の第３の移動局ＭＳ３および第４の移動局ＭＳ４は、旧来型の移動局である。この典型的なシナリオでは、第１の移動局ＭＳ１を第１のダウンリンクのパケット・データ・チャンネルＣＨ１Ｄのアップリンク状態フラグａに関連付けられている第１の一時ブロックフロー（ＴＢＦ）と、第２の移動局ＭＳ２を第２のダウンリンクのパケット・データ・チャンネルＣＨ２Ｄのアップリンク状態フラグｂに関連付けられている第２の一時ブロックフロー（ＴＢＦ）と、第３の移動局ＭＳ３を第１のダウンリンクのパケット・データ・チャンネルＣＨ１Ｄのアップリンク状態フラグｃに関連付けられている第３の一時ブロックフロー（ＴＢＦ）と、第４の移動局ＭＳ４を第２のダウンリンクのパケット・データ・チャンネルＣＨ２Ｄのアップリンク状態フラグｄに関連付けられている第４の一時ブロックフロー（ＴＢＦ）とが存在する。
【００５３】
この典型的なシナリオでは、第１および第２のアップリンクのパケット・データ・チャンネルＣＨ１ＵおよびＣＨ２Ｕで、ＴＤＭＡフレームＮ＋５からＮ＋８に対応する基本アップリンク期間におけるアップリンクの伝送をスケジュールするために、ステップ４０１に従う処理を実行する場合、第１の一時ブロックフロー（ＴＢＦ）が、アップリンクのパケット・データ・チャンネルＣＨ１ＵおよびＣＨ２Ｕの両方でスケジュールされる資源を次に取得する順番にある。従って、ステップ４０２で、第１の一時ブロックフロー（ＴＢＦ）に対して、第１の無線ブロックＡを伝送するためアップリンクのパケット・データ・チャンネルＣＨ１ＵおよびＣＨ２Ｕの両方のタイムスロットがスケジュールされる。ステップ４０３で、第２の一時ブロックフロー（ＴＢＦ）に対して、第２の無線ブロックＢを伝送するためアップリンクのパケット・データ・チャンネルＣＨ１ＵおよびＣＨ２Ｕの両方のタイムスロットがスケジュールされる。というのは、その第２の一時ブロックフロー（ＴＢＦ）は、アップリンクのパケット・データ・チャンネルＣＨ１ＵおよびＣＨ２Ｕの両方に資源をスケジュールされる第１の一時ブロックフロー（ＴＢＦ）の後の次の待ち順にあったからである。
【００５４】
アップリンク資源がＴＤＭＡフレームＮ＋５からＮ＋８においてどのようにスケジュールされたかに従って、ステップ４０４で、ＴＤＭＡフレームＮ＋１からＮ＋４において、第１の一時ブロックフロー（ＴＢＦ）に関連付けられたアップリンク状態フラグａは、第１のダウンリンクのパケット・データ・チャンネルＣＨ１Ｄで伝送され、且つ、第２の一時ブロックフロー（ＴＢＦ）に関連付けられたアップリンク状態フラグｂは、第２のダウンリンクのパケット・データ・チャンネルＣＨ２Ｄで伝送される。
【００５５】
第１および第２のアップリンクのパケット・データ・チャンネルＣＨ１ＵおよびＣＨ２Ｕで、ＴＤＭＡフレームＮ＋９からＮ＋１２に対応する別の基本アップリンク期間のアップリンクの伝送をスケジュールするために、ステップ４０１に戻ると、第３の一時ブロックフロー（ＴＢＦ）が、アップリンクのパケット・データ・チャンネルＣＨ１ＵおよびＣＨ２Ｕのいずれか１つでスケジュールされた資源を次に取得する順番にある。第３の一時ブロックフロー（ＴＢＦ）は、第１のアップリンクのパケット・データ・チャンネルＣＨ１Ｕしか割り当てられていない。従って、ステップ４０６において、第３の一時ブロックフロー（ＴＢＦ）に対して、ＴＤＭＡフレームＮ＋９からＮ＋１２において無線ブロックＣを伝送するため第１のアップリンクのパケット・データ・チャンネルＣＨ１Ｕのタイムスロットがスケジュールされる。また、ステップ４０６において、第２のアップリンクのパケット・データ・チャンネルＣＨ２Ｕで資源を次に取得する順番にある第４の一時ブロックフロー（ＴＢＦ）に対して、ＴＤＭＡフレームＮ＋９からＮ＋１２においてもう１つの無線ブロックＤを伝送するため第２のアップリンクのパケット・データ・チャンネルＣＨ２Ｕのタイムスロットもスケジュールされる。
【００５６】
アップリンク資源がＴＤＭＡフレームＮ＋９からＮ＋１２においてどのようにスケジュールされたかに従って、ステップ４０８では、ＴＤＭＡフレームＮ＋５からＮ＋８において、第３の一時ブロックフロー（ＴＢＦ）に関連付けられたアップリンク状態フラグｃが、第１のダウンリンクのパケット・データ・チャンネルＣＨ１Ｄで伝送され、且つ、第４の一時ブロックフロー（ＴＢＦ）に関連付けられたアップリンク状態フラグｄが、第２のダウンリンクのパケット・データ・チャンネルＣＨ２Ｄで伝送される。
【００５７】
本例の典型的なシナリオには示されないが、第１および第２の移動局ＭＳ１−ＭＳ２が、基本アップリンク期間中のどのサブ期間（すなわち、第１の半分または第２／最後の半分）に、アップリンクのパケット・データ・チャンネルＣＨ１Ｕ−ＣＨ２Ｕの両方でアップリンクの伝送資源をスケジュールされるかの十分な柔軟性を与えるように、移動局ＭＳ１−ＭＳ２は、通常、ダウンリンクのパケット・データ・チャンネルＣＨ１Ｄ−ＣＨ２Ｄの両方のアップリンク状態フラグ（ＵＳＦ）に関連付けられるであろうことに、注意されたい。
【００５８】
図１に示す典型的な無線通信システムＳＹＳ１との関連では、図１の基地局コントローラＢＳＣ１は、（ステップ４０４および４０８における実際の無線伝送部分を除く）図４の方法ステップの殆んどを実行する。従って、基地局コントローラＢＳＣ１が、パケット交換通信に関するアップリンクの伝送資源をスケジュールする本発明による制御装置の１つの典型的な実施形態を提供する。基地局コントローラＢＳＣ１は、プログラム可能なプロセッサＣＰ１の形式のデジタルデータ処理回路を含む（図１参照）。プロセッサは、特に、アップリンクのパケット・データ・チャンネルＣＨ１ＵおよびＣＨ２Ｕでバーストを伝送するためのタイムスロットをスケジュールするスケジュール手段として機能するようにプログラムされ、従って、図４の方法のステップ４０１〜４０３および４０５〜４０７を実行する。プロセッサは、また、アップリンクの伝送資源がどのようにスケジュールされたかを移動局ＭＳ１〜ＭＳ４に知らせる、適切なダウンリンクのパケット・データ・チャンネルＣＨ１ＤおよびＣＨ２Ｄの適切なアップリンク状態フラグ（ＵＳＦ）の伝送を開始させる（図４のステップ４０４および４０８参照）開始手段としても機能するようにプログラムされる。しかし、ダウンリンクのパケット・データ・チャンネルＣＨ１ＤおよびＣＨ２Ｄでのそのアップリンク状態フラグ（ＵＳＦ）の実際の無線伝送は、基地局コントローラＢＳＣ１から無線基地局ＢＴＳ１に与えられた命令に応えて、無線基地局ＢＴＳ１により実行される。図６は、開始手段６０２に接続して動作するスケジュール手段６０１を含む本発明による制御装置６００の論理的なブロックを概略的に示す図である。
【００５９】
図７は、本発明の第１の典型的な実施形態による移動局におけるアップリンクの伝送を実行するための方法を示す流れ図である。この典型的な実施形態は、図１の無線通信システムＳＹＳ１において、例えば、図１の第１の移動局ＭＳ１に実装されて、アップリンクの伝送を実行するために使用されてよい。この典型的な実施形態では、移動局ＭＳ１は、ＧＰＲＳ／ＥＧＰＲＳの旧来型の無線ブロック・マッピング（すなわち、アップリンクの無線ブロックを１つのアップリンクのパケット・データ・チャンネルの４つのバーストとしてマップする）と、アップリンクの無線ブロックのバーストが、第１のアップリンクのパケット・データ・チャンネルＣＨ１Ｕおよび第２のアップリンクのパケット・データ・チャンネルＣＨ２Ｕなど、少なくとも２つの異なるアップリンクのパケット・データ・チャンネルにマップされる本提案の新しい無線ブロック・マッピングと、の両方の無線ブロック・マッピングをサポートする。無線通信ネットワークＮＥＴ１および移動局ＭＳ１は、無線ブロックがアップリンク方向でどのようにマップされるかおよび移動局ＭＳ１によって受信されたアップリンク状態フラグ（ＵＳＦ）がどのように解釈されるかについて合意する必要がある。この典型的な実施形態では、移動局ＭＳ１についてのアップリンクの一時ブロックフロー（ＴＢＦ）の構成について、無線通信ネットワークＮＥＴ１と移動局ＭＳ１との間で無線ブロック・マッピング・モードが合意され、従って、無線通信ネットワークＮＥＴ１と同様に、移動局ＭＳ１は、そのアップリンクの一時ブロックフロー（ＴＢＦ）の各々について無線ブロック・マッピング属性を保持する。この無線ブロック・マッピング属性が、アップリンクの一時ブロックフロー（ＴＢＦ）の無線ブロックが、全て単一のアップリンクのパケット・データ・チャンネルの４つのバーストとしてマップされるべきか、または各々が２つの異なるアップリンクのパケット・データ・チャンネルの２つのバーストとしてマップされるべきかを指示する。
【００６０】
ステップ７０１で、移動局ＭＳ１は、それが監視するダウンリンクのパケット・データ・チャンネルの１つでアップリンク状態フラグ（ＵＳＦ）を受信する。移動局ＭＳ１がその時監視しているダウンリンクのパケット・データ・チャンネルの選択は、移動局ＭＳ１のアップリンクの一時ブロックフロー（ＴＢＦ）がアップリンク状態フラグ（ＵＳＦ）をどのダウンリンクのパケット・データ・チャンネルに割り当てられたかによって、決定される。
【００６１】
ステップ７０２で、移動局ＭＳ１は、受信したアップリンク状態フラグ（ＵＳＦ）がそのアップリンクの一時ブロックフロー（ＴＢＦ）の１つに関連付けられているか、すなわち、受信したアップリンク状態フラグ（ＵＳＦ）が移動局ＭＳ１に関連付けられているかを決定する。受信したアップリンク状態フラグ（ＵＳＦ）が移動局ＭＳ１の１つのアップリンクの一時ブロックフロー（ＴＢＦ）に関連付けられていない場合（ステップ７０２の「ＮＯ」側）、このアップリンク状態フラグ（ＵＳＦ）を受信した結果として処理は終了する。
【００６２】
受信したアップリンク状態フラグ（ＵＳＦ）が移動局ＭＳ１のアップリンクの一時ブロックフロー（ＴＢＦ）の１つに実際に関連付けられている場合（ステップ７０２の「ＹＥＳ」側）、ステップ７０３で、移動局ＭＳ１は関与中のアップリンクの一時ブロックフロー（ＴＢＦ）の無線ブロック・マッピング・モードを調べる。
【００６３】
そのアップリンクの一時ブロックフロー（ＴＢＦ）の無線ブロック・マッピング・モードが、第１のアップリンクのパケット・データ・チャンネルＣＨ１Ｕおよびアップリンクのパケット・データ・チャンネルＣＨ２Ｕの両方にバーストがマップされるべきことを指示する場合（ステップ７０３の「２チャンネル」側）、処理はステップ７０４に続き、そこで、移動局ＭＳ１は、そのアップリンクの一時ブロックフロー（ＴＢＦ）に対して、そのアップリンクのパケット・データ・チャンネルＣＨ１ＵおよびＣＨ２Ｕにスケジュールされた無線ブロックのタイミングを導出する。移動局ＭＳ１は、そのアップリンク状態フラグ（ＵＳＦ）がダウンリンクのパケット・データ・チャンネルＣＨ１ＤおよびＣＨ２Ｄのどちらで受信されたかの知識を使用して、スケジュールされた無線ブロックのタイミングを導出する。移動局ＭＳ１および無線通信ネットワークＮＥＴ１は、異なるダウンリンクのパケット・データ・チャンネルが基本アップリンク期間中の異なるサブ期間を表現する方法について共通の理解を有する。（決められたプロトコル規則から暗黙裡に、または、関与中のアップリンクの一時ブロックフローを構成する際に交換された明確なシグナリング情報からのいずれかによる）。こうして、図４に関連して既に説明したように、この典型的な実施形態では、第１のダウンリンクのパケット・データ・チャンネルＣＨ１Ｄは、次回の２０msの基本アップリンク期間の第１の１０msサブ期間に対応する一方、第２のダウンリンクのパケット・データ・チャンネルＣＨ２Ｄは、その基本アップリンク期間の第２の１０msサブ期間に対応する。その結果として、アップリンク状態フラグ（ＵＳＦ）を第１のダウンリンクのパケット・データ・チャンネルＣＨ１Ｄで受信した場合、移動局ＭＳ１は、その無線ブロックがその基本アップリンク期間の第１の１０msサブ期間にスケジュールされたと結論し、一方、アップリンク状態フラグ（ＵＳＦ）が第２のダウンリンクのパケット・データ・チャンネルＣＨ１Ｄで受信された場合、その無線ブロックがその基本アップリンク期間の第２の１０msサブ期間にスケジュールされたと結論する。
【００６４】
ステップ７０５で、移動局ＭＳ１は、第１および第２のアップリンクのパケット・データ・チャンネルＣＨ１ＵおよびＣＨ２Ｕの両方のタイムスロットで、そのアップリンクの一時ブロックフロー（ＴＢＦ）に対してスケジュールされた無線ブロックを伝送する。ステップ７０４での結果に依って、無線ブロックは、次回の基本アップリンク期間において、アップリンクのパケット・データ・チャンネルＣＨ１ＵおよびＣＨ２Ｕの両方の第１の２つのタイムスロットか、または、アップリンクのパケット・データ・チャンネルＣＨ１ＵおよびＣＨ２Ｕの両方の最後の２つのタイムスロットかで伝送される。
【００６５】
そのアップリンクの一時ブロックフロー（ＴＢＦ）の無線ブロック・マッピング・モードが、全てのバーストが１つのアップリンクのパケット・データ・チャンネルにマップされるべきことを指示する場合（ステップ７０３の「１チャンネル」側）、処理はステップ７０６に続き、そこで、移動局ＭＳ１は、ステップ７０１でアップリンク状態フラグ（ＵＳＦ）を受信したダウンリンクのパケット・データ・チャンネルに対応するアップリンクのパケット・データ・チャンネルのスケジュールされたタイムスロットで、そのアップリンクの一時ブロックフロー（ＴＢＦ）に対してスケジュールされた無線ブロックを伝送する。従って、アップリンク状態フラグ（ＵＳＦ）が第１のダウンリンクのパケット・データ・チャンネルＣＨ１Ｄで受信された場合、移動局ＭＳ１は無線ブロックを第１のアップリンクのパケット・データ・チャンネルＣＨ１Ｕで伝送する一方、アップリンク状態フラグ（ＵＳＦ）が第２のダウンリンクのパケット・データ・チャンネルＣＨ２Ｄで受信された場合、移動局ＭＳ１は無線ブロックを第２のアップリンクのパケット・データ・チャンネルＣＨ２Ｕで伝送する。
【００６６】
図５に示す典型的なシナリオに戻って、第１の移動局ＭＳ１において図７による処理を実行した結果として、ステップ７０１において、第１の移動局ＭＳ１は、第１のダウンリンクのパケット・データ・チャンネルＣＨ１Ｄで、ＴＤＭＡフレームＮ＋１〜Ｎ＋４中のアップリンク状態フラグａを受信するであろう。移動局ＭＳ１は、次いで、アップリンクのパケット・データ・チャンネルＣＨ１ＵおよびＣＨ２Ｕの両方でアップリンクの無線ブロックをスケジュールされたと結論するであろう。ステップ７０４で、移動局ＭＳ１は、アップリンク状態フラグａが第１のダウンリンクのパケット・データ・チャンネルＣＨ１Ｄで受信されたという事実から、そのスケジュールされた無線ブロックのタイミングをＴＤＭＡフレームＮ＋５〜Ｎ＋８中の次回の基本期間の最初の半分であると導出するであろう。移動局ＭＳ１は、最後に、ＴＤＭＡフレームＮ＋５およびＮ＋６において、第１および第２のアップリンクのパケット・データ・チャンネルＣＨ１Ｕ〜ＣＨ２Ｕでスケジュールされたタイムスロットで無線ブロックＡを伝送するであろう。
【００６７】
図８は、図７に示す方法を実行するための本発明による移動局（すなわち、図１の移動局ＭＳ１）の典型的な第１の実施形態を概略的に示す図である。移動局ＭＳ１は、送信機８０１および受信機８０２を含み、両方とも、プログラム可能なプロセッサ８０３の形式のデジタルデータ処理回路に接続して動作する。送信機８０１は、Ｕｍ無線インタフェースについて３ＧＰＰ規格に従う無線信号を伝送するように構成され、そして、受信機８０２は、Ｕｍ無線インタフェースについて３ＧＰＰ規格に従う無線信号を受信するように構成される。プロセッサ８０３は、送信機８０１および受信機８０２の動作を制御及び調整する。プロセッサは、アップリンク状態フラグ（ＵＳＦ）の受信（図７のステップ７０１）を知らせる受信機８０２からの通知に応えてステップ７０２〜７０４に従う処理を実行し、その移動局のためにスケジュールされたアップリンクの伝送資源を識別して、その識別された資源を使用してアップリンクの伝送を実行するよう送信機８０１に命令する（図７のステップ７０５）よう、特にプログラムされる。
【００６８】
以上で開示された本発明の典型的な実施形態とは別に、開示された実施形態を再構成、変更および置換する幾つかの方法が存在するが、それらはつまるところ本発明の実施形態に追加されるものである。
【００６９】
本発明の幾つかの実施形態では、アップリンクのパケット・データ・チャンネルＣＨ１ＵおよびＣＨ２Ｕならびに、対応するダウンリンクのパケット・データ・チャンネルＣＨ１ＤおよびＣＨ２Ｄは、ＧＰＲＳ／ＥＧＰＲＳの現在のマルチスロット方式によって、同じ無線周波数チャンネル（または、異なる無線周波数チャンネルの同じ系列）の異なるタイムスロットで提供されてもよい。本発明の別の実施形態では、アップリンクのパケット・データ・チャンネルＣＨ１ＵおよびＣＨ２Ｕならびに、対応するダウンリンクのパケット・データ・チャンネルＣＨ１ＤおよびＣＨ２Ｄは、別の方法で、マルチキャリア方式によって、タイムスロットは共通であるが２つの異なる無線周波数チャンネル（または、異なる無線周波数チャンネルの２つの異なる列）を使用して提供されてもよい。
【００７０】
拡張動的割り当て（extended dynamic allocation）の概念が本発明との関連で適用されてもよい。従って、無線通信ネットワークは、アップリンクの一時ブロックフローに関連付けられた移動局に対して、それが基本アップリンク期間中の選択されたサブ期間および全ての後続サブ期間（あるいは、全ての先行サブ期間）において資源をスケジュールされたことを、選択されたサブ期間を表現するダウンリンクのパケット・データ・チャンネルでアップリンクの一時ブロックフローに関連付けられたアップリンク状態フラグを伝送することにより、指示してもよい。
【００７１】
アップリンク状態フラグ粒度（Uplink State Flag granularity）の概念も本発明との関連で適用されてもよい。従って、無線通信ネットワークは、アップリンクの一時ブロックフローに関連付けられた移動局に対して、それが１つまたは４つの連続する基本アップリンク期間中の選択されたサブ期間において資源をスケジュールされたことを、選択されたサブ期間を表現するダウンリンクのパケット・データ・チャンネルでアップリンクの一時ブロックフローに関連付けられたアップリンク状態フラグを伝送することにより、指示してもよい。
【００７２】
拡張動的割り当ておよび／またはアップリンク状態フラグ粒度の使用に関しては、一時ブロックフローを構成する既存のシグナリングメカニズムが、本発明に関する一時ブロックフローを構成するために使用されてもよい。それに応じてシグナリングメカニズムを拡張することにより、任意のアップリンク状態フラグ粒度（すなわち、１または４のみではない）をサポートできよう。
【００７３】
本発明に従って伝送資源のスケジュールおよびアップリンクの伝送が実行される、少なくとも２つのアップリンクのパケット・データ・チャンネルからなる集合に対応するダウンリンクのパケット・データ・チャンネルについて、ダウンリンク方向の無線ブロック・マッピングをどのように実行してよいかに関する幾つかの対案が存在する。
【００７４】
１つの案は、旧来型の無線ブロック・マッピング、すなわち、無線ブロックの全てのバーストを１つのダウンリンクのパケット・データ・チャンネルで伝送することを踏襲することであろう。この案を使用する本発明の装置および方法の実施形態では、アップリンク状態フラグを伝送する方法への影響はない。旧来型の無線ブロック・マッピングのみをサポートする旧来型のＧＰＲＳ／ＥＧＰＲＳ移動局および新しい無線ブロック・マッピングをアップリンク方向でサポートする新しいＥＧＰＲＳ移動局は、両方とも、アップリンク状態フラグを監視することができ、また旧来型の無線ブロック・マッピングのみを使用するダウンリンクのパケット・データ・チャンネルでデータを受信することもできる。（すなわち、アプリケーションデータ、ＲＬＣ／ＭＡＣ制御信号または高位レイヤの信号を受信するためのダウンリンクの一時ブロックフローを有する）。
【００７５】
もう１つの案は、新しい無線ブロック・マッピング、すなわち、無線ブロックを、ダウンリンク方向にも、少なくとも２つの異なるパケット・データ・チャンネルにマップすることを導入することであろう。この案を使用する本発明の装置および方法の実施形態では、少なくとも２つのアップリンクのパケット・データ・チャンネルの集合中のチャンネルのいずれか１つで多重化されるいずれの旧来型の移動局をも混乱させないようにするには、アップリンク状態フラグは、従前どおり、１つのダウンリンクのパケット・データ・チャンネル上の４つのバーストで伝送する必要があり、従って、対応するダウンリンクのパケット・データ・チャンネルでアップリンク状態フラグの伝送を監視する必要があろう。新しい無線ブロック・マッピングが使用される場合、旧来型の無線ブロック・マッピングのみをサポートする旧来型のＧＰＲＳ／ＥＧＰＲＳ移動局および新しい無線ブロック・マッピングをアップリンク方向でサポートする新しいＥＧＰＲＳ移動局は、両方とも、アップリンク状態フラグを監視できるが、新しい無線ブロックのマップをダウンリンク方向でサポートする新しいＥＧＰＲＳ移動局のみが、ダウンリンクのパケット・データ・チャンネルでデータを受信する（すなわち、ダウンリンクの一時ブロックフローを有する）ことができよう。新しい無線ブロック・マッピングが使用される場合、新しい移動局のみがとにかくダウンリンクのパケット・データ・チャンネルでデータを受信することができるので、新しい無線ブロック・マッピング方式に従ってコード化されたデータを受信する必要がある移動局には、コード化方式、バースト形式などへの追加の／新しい要求が課されてもよい。
【００７６】
新しい無線ブロック・マッピングのみがダウンリンクのパケット・データ・チャンネルの集合で使用される場合、ダウンリンクのパケット・データ・チャンネルのこの集合で旧来型の移動局にデータを伝送する、すなわち、旧来型の移動局にダウンリンクの一時ブロックフローを提供することは不可能であろう。別案として、旧来型の移動局へデータを伝送する時は、ダウンリンクのパケット・データ・チャンネルの集合に対して旧来型の無線ブロック・マッピング（すなわち、無線ブロックを単一のダウンリンクのパケット・データ・チャンネルにマップする）を適用し、そしてデータをこの新しい無線ブロック・マッピング方式をサポートする移動局に伝送する時は、新しい無線ブロック・マッピング（すなわち、無線ブロックを少なくとも２つの異なるダウンリンクのパケット・データ・チャンネルにマップする）を適用する、混合モードの動作を適用することにより、旧来型の移動局についてダウンリンクの一時ブロックフローを提供することが可能である。
【００７７】
無線ブロックを少なくとも２つの異なるパケット・データ・チャンネルにマップする一方、各アップリンク状態フラグは従前どおり１つのダウンリンクのパケット・データ・チャンネルの４つのバーストで伝送することは、アップリンク状態フラグを２つの異なる無線ブロックに属するバーストで伝送することになる。図９は、ダウンリンク方向の２つの無線ブロックが、両方とも、図１に示すシステムのダウンリンクのパケット・データ・チャンネルＣＨ１ＤおよびＣＨ２Ｄの両方にマップされる典型的なシナリオを概略的に示す図である。従って、第１のダウンリンクの無線ブロックは４つのバーストｂ１１〜ｂ１４で伝送され、一方、第２のダウンリンクの無線ブロックは４つのバーストｂ２１〜ｂ２４で伝送される。ＴＤＭＡフレームＭ＋１からＭ＋４における、ダウンリンクのパケット・データ・チャンネルＣＨ１Ｄで伝送される第１のアップリンク状態フラグは、第１の無線ブロックのバーストｂ１１およびｂ１３ならびに第２の無線ブロックのバーストｂ２１およびｂ２３でコード化される。同様に、ＴＤＭＡフレームＭ＋１からＭ＋４における、ダウンリンクのパケット・データ・チャンネルＣＨ２Ｄで伝送される第２のアップリンク状態フラグは、第１の無線ブロックのバーストｂ１２およびｂ１４ならびに第２の無線ブロックのバーストｂ２２およびｂ２４でコード化される。こうして、第１のアップリンク状態フラグを伝えるバースト列は、バーストｂ１１、ｂ１３、ｂ２１およびｂ２３を含み、第２のアップリンク状態フラグを伝えるバースト列は、バーストｂ１２、ｂ１４、ｂ２２およびｂ２４を含む。無線ブロックのバーストが両方のダウンリンクのパケット・データ・チャンネルＣＨ１ＤおよびＣＨ２Ｄの各々に２つのバーストとしてマップされる順序については、勿論、その他の対案も存在する。
【００７８】
ダウンリンク方向にデータおよびアップリンク状態フラグを伝送するための適切なバースト内容を保証するための必須の対策は、アップリンク状態フラグの伝送に使用される連続する無線ブロックで使用されるコード化方式に依存する。以下の議論は主に既存のコード化方式に関係するが、本発明に関連する使用のための新しいコード化方式を定義することも勿論可能であることに、注意されたい。
【００７９】
ＥＧＰＲＳ無線ブロックについて定義されたコード化方式ＭＣＳ−１からＭＣＳ−９について、以下の状況が生じる。
【００８０】
コード化方式ＭＣＳ−５からＭＣＳ−９については、各バースト中のアップリンク状態フラグ（ＵＳＦビット）を表現するビット位置は、常に同じビット（各バースト中のビット位置１５０、１５１、１６８、１６９、１７１、１７２、１７７、１７８、１９５）である。図９の典型的なシナリオとの関連では、第１のアップリンク状態フラグを伝えるのに使用されるバースト列中のＵＳＦビットは、第１のアップリンク状態フラグが、第１のダウンリンクのパケット・データ・チャンネルＣＨ１Ｄで４つの連続するバーストとしてマップされる１つの無線ブロックで伝送される場合と同様にコード化されよう。スティーリング・フラグ（Stealing Flag：ＳＦ）ビットは、これらのコード化方式についてアップリンク状態フラグを復号化するためには調べる必要はなく、従って、ダウンリンクのパケット・データ・チャンネルＣＨ１Ｄ〜ＣＨ２Ｄの両方で伝送される単一の無線ブロック内に完全にマップすることができる。そして、無線ブロックを復号化する移動局が、無線ブロックヘッダがＭＣＳ−５からＭＣＳ−６の形式に従うかまたはＭＣＳ−７からＭＣＳ−９の形式に従うかを決定して、それに従って復号化を実行できるようにするために、使用することができる。
【００８１】
コード化方式ＭＣＳ−１からＭＣＳ−４については、ＵＳＦビットの位置は各バースト中で以下のように異なる。すなわち、
バースト１：ビット位置  ０、５０、１００；
バースト２：ビット位置  ３４、８４、９８；
バースト３：ビット位置  １８、６８、８２；
バースト４：ビット位置  ２、５２、６６。
【００８２】
これらのコード化方式については、伝送されたバーストのＵＳＦビット位置は、ダウンリンクのパケット・データ・チャンネルで伝送される（２つの異なる無線ブロックに属する）４つのバースト列中の各バーストが、上記の方式に従うよう調整される必要がある。図９の典型的なシナリオとの関連では、第１のアップリンク状態フラグ、すなわち、ｂ１１、ｂ１３、ｂ２１およびｂ２３を伝えるのに使用される第１のダウンリンクのパケット・データ・チャンネルＣＨ１Ｄのバースト列中のＵＳＦビットが、上記の方式に従う必要がある。これは、勿論、第２のアップリンク状態フラグ、すなわち、ｂ１２、ｂ１４、ｂ２２およびｂ２４を伝えるのに使用される第２のダウンリンクのパケット・データ・チャンネルＣＨ２Ｄのバースト列にも適用される。さらに、それぞれのダウンリンクのパケット・データ・チャンネルのそのバースト列中の各バーストのスティーリング・フラグ・ビット（位置５７および５８）が、ＣＳ−４（すなわち、列［００，０１，０１，１０］）を示すように設定される必要がある。ダウンリンクのパケット・データ・チャンネルＣＨ１ＤおよびＣＨ２Ｄの両方にマップされる無線ブロックを復号化することができ、またそうする必要があるＥＧＰＲＳ移動局は、伝送されたバーストのＧＭＳＫ変調を検出することから、無線ブロックがＭＣＳ−１からＭＣＳ−４形式に従うヘッダ形式を有しなければならないことを決定でき、それに従って復号化を実行することができる。
【００８３】
ＣＳ−１無線ブロックの修正されたコード化、この方式では、ＭＣＳ−１からＭＣＳ−４と同じヘッダ形式が使用され、そしてこの修正されたＣＳ−１コード化方式が使用されたことがヘッダ中で示される、を（例えば、ＲＬＣ／ＭＡＣ信号を提供するために）使用することができるかもしれない。ＭＣＳ−１からＭＣＳ−４について以上で論じられたのと同じ対策が適用される。
【００８４】
コード化方式ＭＣＳ−１からＭＣＳ−４（および、本提案の修正されたＣＳ−１コード化方式）はＧＭＳＫ変調を使用する一方、コード化方式ＭＣＳ−５からＭＣＳ−９は８−ＰＳＫ変調を使用しており、そして関連するバーストが異なる変調を使用する場合、旧来型の移動局はアップリンク状態フラグを読むことができないであろうから、ダウンリンクの無線ブロックのスケジューリング／コード化方式の選択は、この状況が生じないことを保証するように行われるべきである。
【００８５】
本発明による移動局の第１の典型的な実施形態では、通常のプログラム可能なプロセッサの形式のデジタルデータ処理回路が、移動局についてスケジュールされたアップリンクの伝送資源を識別するために使用される。同様にして、本発明による制御装置の第１の典型的な実施形態では、通常のプログラム可能なプロセッサの形式のデジタルデータ処理回路が、スケジューリング手段および開始手段の両方として動作する。また一方、これらの処理タスクを実行することができる任意のデジタルデータ処理回路、例えば、直列または並列に動作する多重プロセッサ、ＡＳＩＣ、個別論理回路など、を使用することができよう。本発明による処理を実行するプログラム可能な装置は、このタスク専用とすることもでき、または別のタスクに関する処理にも使用されてよい。
【００８６】
アップリンクの伝送資源をスケジュールするために、本発明による制御装置として動作する基地局コントローラＢＳＣ１を有する代わりに、無線通信ネットワークＮＥＴ１中の基地局交換装置ＮＴＳ１および在圏ＧＰＲＳノードＳＧＳＮ１など、別のノードがそのような制御装置として動作することができよう。
【００８７】
当初は、無線通信ネットワークおよび移動局の両方が旧来型の無線ブロック・マッピング・モードおよび本提案の新しい無線ブロック・マッピング・モードの両方をサポートするのが望ましいであろう。また一方、無線通信ネットワークの性能向上が進み、そして特に旧来型の移動局が新しい移動局に置き換わるのに伴って、アップリンクの伝送のための旧来型の無線ブロック・マッピング・モードのサポートが最後には放棄されるかもしれない。したがって、本発明の、旧来型の無線ブロック・マッピングおよび本提案の新しい無線ブロック・マッピングを混合したものをサポートする実施形態のみならず、新しい無線ブロック・マッピングのみをサポートする実施形態の両方が提供されてもよい。
【００８８】
少なくとも２つのアップリンクのパケット・データ・チャンネルで、基本アップリンク期間における全てのタイムスロットを１つの移動局に対してスケジュールする場合、その移動局がどのような無線ブロック・マッピングを選好するか、例えば、その基本アップリンク期間の異なるサブ期間において、各々が１つのアップリンクのパケット・データ・チャンネルのみにマップされる２つの無線ブロックとしてか、または各々が両方のアップリンクのパケット・データ・チャンネルにマップされる２つの無線ブロックとしてか、を移動局が決定できるようにしてもよい。その場合、無線通信ネットワークは、例えば、種々の可能な対案に従って無線ブロックを復号化してどの対案がもっともそれらしいかの決定を試行することにより、移動局が使用する無線ブロック・マッピングのタイプを決定することができる。
【図面の簡単な説明】
【００８９】
【図１】本発明が使用される典型的な無線通信システムの概観を示す図である。
【図２】ダウンリンクＰＤＣＨのアップリンク状態フラグの伝送が対応するアップリンクＰＤＣＨの無線ブロックの伝送を起動する、典型的なシナリオを示すチャンネルの図である。
【図３Ａ】本発明によるアップリンクの伝送資源をスケジュールする基本的な方法を示す流れ図である。
【図３Ｂ】本発明によるアップリンクの伝送のための基本的な方法を示す流れ図である。
【図４】本発明によるアップリンクの伝送資源をスケジュールする方法の第１の典型的な実施形態を示す流れ図である。
【図５】２つのダウンリンクＰＤＣＨのアップリンク状態フラグの伝送が対応するアップリンクＰＤＣＨのスケジュールされた無線ブロックの伝送を起動する、典型的なシナリオを示すチャンネルの図である。
【図６】本発明による制御装置の第１の典型的な実施形態を示すブロック図である。
【図７】本発明によるアップリンクの伝送の方法の第１の典型的な実施形態を示す流れ図である。
【図８】本発明による移動局の第１の典型的な実施形態を示すブロック図である。
【図９】２つのダウンリンクの無線ブロックが２つのダウンリンクのパケット・データ・チャンネルの両方にマップされる場合の、バースト列の典型的なシナリオを示すチャンネルの図である。
【図１】
2009514330.tif 000003
【図２】
2009514330.tif 000004
【図３Ａ】
2009514330.tif 000005
【図３Ｂ】
2009514330.tif 000006
【図４】
2009514330.tif 000007
【図５】
2009514330.tif 000008
【図６】
2009514330.tif 000009
【図７】
2009514330.tif 000010
【図８】
2009514330.tif 000011
【図９】
2009514330.tif 000012
【手続補正書】
【提出日】平成20年10月14日(2008.10.14)
【手続補正１】
【補正対象書類名】特許請求の範囲
【補正対象項目名】全文
【補正方法】変更
【補正の内容】
【特許請求の範囲】
【請求項１】
アップリンクおよびダウンリンクの伝送が無線ブロック（Ａ〜Ｄ）にセグメント化され、各無線ブロックが複数のバーストで伝送されるパケット交換通信に関し、アップリンクの伝送資源をスケジュールするための無線通信ネットワーク（ＮＥＴ１）における方法であって、
基本アップリンク期間中の第１のサブ期間において、少なくとも２つの異なるアップリンクのパケット・データ・チャンネル（ＣＨ１Ｕ〜ＣＨ２Ｕ）で、第１の無線ブロック（Ａ）のバーストを伝送するタイムスロットをスケジュールするステップ（３０１）と、
前記少なくとも２つの異なるアップリンクのパケット・データ・チャンネル（ＣＨ１Ｕ〜ＣＨ２Ｕ）に対応するダウンリンクのパケット・データ・チャンネル（ＣＨ１Ｄ〜ＣＨ２Ｄ）のグループから選択された第１のダウンリンクのパケット・データ・チャンネル（ＣＨ１Ｄ）で、前記第１の無線ブロックがスケジュールされた移動局（ＭＳ１）に関連付けられたアップリンク状態フラグ（ａ）を伝送するステップであって、前記グループ中の異なるダウンリンクのパケット・データ・チャンネル（ＣＨ１Ｄ〜ＣＨ２Ｄ）の各々が前記基本アップリンク期間中の異なるサブ期間を表し、前記第１のダウンリンクのパケット・データ・チャンネル（ＣＨ１Ｄ）が前記基本アップリンク期間中の前記第１のサブ期間を表す、前記アップリンク状態フラグ（ａ）を伝送するステップ（３０２）と、を有することを特徴とする方法。
【請求項２】
アップリンクおよびダウンリンクの伝送が無線ブロック（Ａ〜Ｄ）にセグメント化され、各無線ブロックが複数のバーストで伝送されるパケット交換通信に関し、アップリンクの伝送のための移動局（ＭＳ１）における方法であって、
第１のダウンリンクのパケット・データ・チャンネル（ＣＨ１Ｄ）で、前記移動局（ＭＳ１）に関連付けられたアップリンク状態フラグ（ａ）を受信するステップ（３０３）と、
第１の無線ブロック（Ａ）のバーストが、基本アップリンク期間中の第１のサブ期間において少なくとも２つの異なるアップリンクのパケット・データ・チャンネル（ＣＨ１Ｄ〜ＣＨ２Ｄ）のタイムスロットで伝送するためにスケジュールされる無線ブロック・マッピング・モードに従って、前記第１の無線ブロック（Ａ）の伝送のためにスケジュールされた資源を識別するステップであって、前記第１のダウンリンクのパケット・データ・チャンネル（ＣＨ１Ｄ）が、前記少なくとも２つの異なるアップリンクのパケット・データ・チャンネル（ＣＨ１Ｕ〜ＣＨ２Ｕ）の各々に対応するダウンリンクのパケット・データ・チャンネル（ＣＨ１Ｄ〜ＣＨ２Ｄ）のグループからの１つであり、前記グループの異なるダウンリンクのパケット・データ・チャンネル（ＣＨ１Ｄ〜ＣＨ２Ｄ）の各々が前記基本アップリンク期間中の異なるサブ期間を表し、前記基本アップリンク期間中の前記第１のサブ期間のタイミングが前記アップリンク状態フラグ（ａ）が前記第１のダウンリンクのパケット・データ・チャンネル（ＣＨ１Ｄ）で受信されたという事実を利用して導出される、前記資源を識別するステップ（３０４）と、
前記資源を識別するステップで識別された資源を利用して第１のアップリンクの無線ブロック（Ａ）を伝送するステップ（３０５）と、を有することを特徴とする方法。
【請求項３】
前記基本アップリンク期間の長さが、１つのアップリンクのパケット・データ・チャンネルで無線ブロックの全てのバーストを伝送するのに必要な時間に対応することを特徴とする請求項２に記載の方法。
【請求項４】
前記少なくとも２つの異なるアップリンクのパケット・データ・チャンネル（ＣＨ１Ｕ〜ＣＨ２Ｕ）が２つのアップリンクのパケット・データ・チャンネルを含み、前記基本アップリンク期間が２つのサブ期間を有することを特徴とする請求項２または３に記載の方法。
【請求項５】
前記少なくとも２つの異なるアップリンクのパケット・データ・チャンネル（ＣＨ１Ｕ〜ＣＨ２Ｕ）が４つのアップリンクのパケット・データ・チャンネルを含み、そして前記基本アップリンク期間が４つのサブ期間を有することを特徴とする請求項２または３に記載の方法。
【請求項６】
アップリンクおよびダウンリンクの伝送が無線ブロックにセグメント化され、各無線ブロックが複数のバーストで伝送されるパケット交換通信に関し、アップリンクの伝送資源をスケジュールするための無線通信ネットワーク（ＮＥＴ１）における制御装置（６００）であって
基本アップリンク期間中の第１のサブ期間において、少なくとも２つの異なるアップリンクのパケット・データ・チャンネル（ＣＨ１Ｕ〜ＣＨ２Ｕ）で第１の無線ブロック（Ａ）のバーストを伝送するタイムスロットをスケジュールするためのスケジュール手段（６０１）と、
前記少なくとも２つの異なるアップリンクのパケット・データ・チャンネル（ＣＨ１Ｕ〜ＣＨ２Ｕ）に対応するダウンリンクのパケット・データ・チャンネル（ＣＨ１Ｄ〜ＣＨ２Ｄ）のグループから選択されたダウンリンクのパケット・データ・チャンネル（ＣＨ１Ｄ）で、前記第１の無線ブロックがそれ用にスケジュールされた移動局（ＭＳ１）に関連付けられたアップリンク状態フラグ（ａ）の伝送を開始する開始手段であって、前記グループ中の異なるダウンリンクのパケット・データ・チャンネルの各々が前記基本アップリンク期間中の異なるサブ期間を表し、前記第１のダウンリンクのパケット・データ・チャンネル（ＣＨ１Ｄ）が前記基本アップリンク期間中の前記第１のサブ期間を表す、前記アップリンク状態フラグ（ａ）の伝送を開始する開始手段（６０２）と、を有することを特徴とする制御装置。
【請求項７】
アップリンクおよびダウンリンクの伝送が無線ブロックにセグメント化され、各無線ブロックが複数のバーストで伝送されるパケット交換通信に関し、アップリンクの伝送のためのスケジュールを実行可能な移動局（ＭＳ１）であって、
第１のダウンリンクのパケット・データ・チャンネル（ＣＨ１Ｄ）で、移動局（ＭＳ１）に関連付けられたアップリンク状態フラグ（ａ）を受信するための受信機（８０２）と、
第１の無線ブロック（Ａ）のバーストが、基本アップリンク期間中の第１のサブ期間において少なくとも２つの異なるアップリンクのパケット・データ・チャンネル（ＣＨ１Ｄ〜ＣＨ２Ｄ）でタイムスロットを伝送するためにスケジュールされる無線ブロック・マッピング・モードに従って、前記第１の無線ブロック（Ａ）の伝送のためにスケジュールされた資源を識別するためのデータ処理回路であって、前記第１のダウンリンクのパケット・データ・チャンネル（ＣＨ１Ｄ）が、前記少なくとも２つの異なるアップリンクのパケット・データ・チャンネル（ＣＨ１Ｕ〜ＣＨ２Ｕ）の各々に対応するダウンリンクのパケット・データ・チャンネル（ＣＨ１Ｄ〜ＣＨ２Ｄ）のグループからの１つであり、前記グループの異なるパケット・データ・チャンネルの各々が、前記基本アップリンク期間中の異なるサブ期間を表し、前記基本アップリンク期間中の前記第１のサブ期間のタイミングが、前記アップリンク状態フラグ（ａ）が前記第１のダウンリンクのパケット・データ・チャンネル（ＣＨ１Ｄ）で受信されたという事実を利用して導出される、前記データ処理回路（８０３）と、
前記第１の無線ブロック（Ａ）の伝送のためにスケジュールされたと識別された資源を利用して、第１の無線ブロック（Ａ）を伝送するための送信機（８０１）と、を有することを特徴とする移動局。
【請求項８】
前記基本アップリンク期間の長さが、１つのアップリンクのパケット・データ・チャンネルで、無線ブロックの全てのバーストを伝送するのに必要な時間に対応することを特徴とする請求項７に記載の移動局。
【請求項９】
前記少なくとも２つの異なるアップリンクのパケット・データ・チャンネル（ＣＨ１Ｕ〜ＣＨ２Ｕ）が２つのアップリンクのパケット・データ・チャンネルを含み、前記基本アップリンク期間が２つのサブ期間を有することを特徴とする請求項７または８に記載の移動局。
【請求項１０】
前記少なくとも２つの異なるアップリンクのパケット・データ・チャンネルが４つのアップリンクのパケット・データ・チャンネルを含み、前記基本アップリンク期間が４つのサブ期間を有することを特徴とする請求項７または８に記載の移動局。
【国際調査報告】
2009514330.tif 000013
2009514330.tif 000014
2009514330.tif 000015
2009514330.tif 000016